(57)【要約】【課題】連結部の破損や本体部からの連結部の脱落を確実に防止し得るスウェーデン式サウンディング試験用のスクリューポイントを提供する。【解決手段】基端部２ａ側から先端部２ｂ側に向かう方向に沿って螺旋状をなす複数の稜部１１がその外周部に形成された本体部２と、本体部２の基端部２ａに一体形成されて本体部２をロッドに固定するための固定部３とを備えたスウェーデン式サウンディング試験用のスクリューポイント１であって、固定部３は、転造加工によって形成された転造ねじで構成されている。【選択図】図２
2010047989.tif 000002
【特許請求の範囲】
【請求項１】
基端部側から先端部側に向かう方向に沿って螺旋状をなす複数の稜部がその外周部に形成された本体部と、当該本体部の前記基端部に一体形成されて当該本体部をロッドに固定するための固定部とを備えたスウェーデン式サウンディング試験用のスクリューポイントであって、
前記固定部は、転造加工によって形成された転造ねじで構成されているスクリューポイント。
【請求項２】
前記本体部は、切削加工によって形成されている請求項１記載のスクリューポイント。
【発明の詳細な説明】
【技術分野】
【０００１】
本発明は、スウェーデン式サウンディング試験に用いるスクリューポイントに関するものである。
【背景技術】
【０００２】
一般的に、建築物を建築する際には、建築に先って建築用地盤についての強度試験が行われる。この種の強度試験として、日本工業規格（ＪＩＳ）−Ａ１２２１に規定されているスウェーデン式サウンディング試験（以下、単に「試験」ともいう）が従来から知られている。この試験では、その先端部にスクリューポイントが取り付けられたロッドを加重しつつ回転させてスクリューポイントを地中に所定の深さだけ押し込み、その際の加重量やロッドの半回転数（ロッドの半回転を１とした数）に基づいて地盤の強度を判定する。この場合、このスクリューポイントは、例えば、特開平９−５３２２４号公報に開示されているように、一端に円錐形状の先端部を備えると共に、他端にロッドに連結固定するためのねじ山を形成した連結部を備え、他端から一端に向けて外周に螺旋状の刃が形成されて構成されている（以下、刃が形成された部分を「本体部」ともいう）。この場合、この種のスクリューポイントを製造する方法としては、例えば、連結部となる円柱状の部分と本体部とで構成される中間体を鍛造加工等によって作製した後に、ねじ切り旋盤等を用いて円柱状の部分を切削加工することによってねじ部を形成する方法が知られている。
【０００３】
【特許文献１】特開平９−５３２２４号公報（第４頁、第１図）
【発明の開示】
【発明が解決しようとする課題】
【０００４】
ところが、上記のスクリューポイントを含む従来のスクリューポイントには、以下の問題点がある。すなわち、従来のスクリューポイントを製造する際には、上記したように、ねじ切り旋盤等を用いて切削加工することで連結部を形成している。この場合、ねじ切り旋盤等を用いて切削加工を行う際には、図７に示すように、切削バイト４００の幅の半分に相当する長さに加えて、切削バイトを切削面から離反させる（逃がす）のに必要な長さの分だけ、連結部３０３の基端部３０３ａ（本体部３０２と連結部３０３との境界部分）にはねじ山を形成することができないため、その部分を、ねじ山の谷の部分の直径に合わせて小径に形成する必要がある。一方、上記した試験では、スクリューポイントが取り付けられたロッドを回転させて地中に押し込む際に、スクリューポイントに大きな回転モーメントが加わる。しかしながら、従来のスクリューポイントでは、連結部３０３の基端部３０３ａが小径に形成されているため、その部分に応力集中が発生し易くなっている。このため、従来のスクリューポイントには、試験の際に加わる回転モーメントによって連結部３０３の基端部３０３ａに発生する応力集中に起因して、連結部３０３が破断（破損）するおそれがあるという問題点が存在する。
【０００５】
この場合、本体部の基端部にねじ穴を形成して、本体部とは別体に形成した無頭ねじの基端部側を本体部のねじ穴にねじ込み、本体部から突出するねじの先端部側を連結部として用いるスクリューポイントが知られており、この構成では、連結部の基端部の直径と他の部分の直径とが同径であるため応力集中を回避することができる。しかしながら、この構成では、無頭ねじの脱落（抜け）を防止するために、接着剤を用いて無頭ねじ（連結部）の基端部を本体部（ねじ穴）に固定する必要があり、工程が煩雑となることに加えて、接着剤だけでは固定力が不足して、試験中に大きな回転モーメントが加わったときには、連結部が本体部から脱落するおそれがあるという問題点が存在する。
【０００６】
本発明は、かかる問題点に鑑みてなされたものであり、連結部の破損や本体部からの連結部の脱落を確実に防止し得るスウェーデン式サウンディング試験用のスクリューポイントを提供することを主目的とする。
【課題を解決するための手段】
【０００７】
上記目的を達成すべく請求項１記載のスクリューポイントは、基端部側から先端部側に向かう方向に沿って螺旋状をなす複数の稜部がその外周部に形成された本体部と、当該本体部の前記基端部に一体形成されて当該本体部をロッドに固定するための固定部とを備えたスウェーデン式サウンディング試験用のスクリューポイントであって、前記固定部は、転造加工によって形成された転造ねじで構成されている。
【０００８】
また、請求項２記載のスクリューポイントは、請求項１記載のスクリューポイントにおいて、前記本体部は、切削加工によって形成されている。
【発明の効果】
【０００９】
請求項１記載のスクリューポイントによれば、本体部の基端部に一体形成された固定部を転造加工によって形成された転造ねじで構成したことにより、固定部の基端部に小径の部分が形成されずかつ固定部の強度が全体として高められているため、スウェーデン式サウンディング試験の際の回転に伴ってスクリューポイントに大きな回転モーメントが加わったとしても、固定部の基端部が小径に形成されている従来のスクリューポイントとは異なり、固定部の基端部における応力集中の発生を防止することができる結果、固定部が破断する事態を確実に防止することができる。また、このスクリューポイントによれば、固定部と本体部とが一体形成されているため、本体部とは別体に形成した無頭ねじを本体部のねじ穴にねじ込んで接着剤等によって固定する構成とは異なり、スクリューポイントに大きな回転モーメントが加わったとしても、固定部が本体部から脱落する事態を確実に防止することができる。
【００１０】
また、請求項２記載のスクリューポイントによれば、本体部を切削加工によって形成したことにより、例えば、鍛造で本体部を形成する構成と比較して、サイズや形状の異なる多種類のスクリューポイントを製造する際の製造コストを十分に低減することができる。
【発明を実施するための最良の形態】
【００１１】
以下、本発明に係るスクリューポイントの最良の形態について、添付図面を参照して説明する。
【００１２】
最初に、図１に示すスウェーデン式サウンディング試験器１００（以下、単に「試験器１００」ともいう）について説明する。試験器１００は、本発明に係るスクリューポイント１を用いて、ＪＩＳ−Ａ１２２１に規定されたスウェーデン式サウンディング試験を行うための手動式の試験器であって、同図に示すように、ロッド１０１、継足用ロッド１０２、ハンドル固定部１０３、ハンドル１０４、クランプ１０５、複数の錘１０６，１０６・・および底板１０７を備えて構成されている。ロッド１０１は、例えば、円柱状に形成されると共に、その長さが８００ｍｍに規定されている。この場合、ロッド１０１の一端部（同図では下端部）には、ねじ孔１０１ａ（図６参照）が形成され、ロッド１０１の他端部（図１では上端部）には雄ねじ（図示せず）が形成されて構成されている。さらに、ロッド１０１には、一端部から２５０ｍｍ毎に目盛りが描かれている。継足用ロッド１０２は、試験の際にロッド１０１に継ぎ足すためのロッドであって、その長さが１０００ｍｍに規定され、それ以外については、ロッド１０１と同じ仕様で形成されている。
【００１３】
ハンドル固定部１０３は、図１に示すように、ロッド１０１の上端部に連結されて、ハンドル１０４を固定する。ハンドル１０４は、ハンドル固定部１０３を貫通することによってロッド１０１（または継足用ロッド１０２）に対して直交するようにしてハンドル固定部１０３に固定されている。クランプ１０５は、円板状に形成されると共に、ロッド１０１（または継足用ロッド１０２）を貫通させる中心孔がその中心部に形成されて構成されている。また、クランプ１０５は、中心孔にロッド１０１を貫通させた状態で、ロッド１０１の上端部から所定の長さだけ下端部側に離間した位置に固定されて、載置された錘１０６を保持する。錘１０６は、例えば円板状にそれぞれ形成されている。また、錘１０６は、中心部に中心孔が形成されると共に、外周部から中心孔に向かう切り込みが形成されて構成され、その切り込みを用いて中心孔にロッド１０１を通した状態でクランプ１０５の上に載置される。この場合、スウェーデン式サウンディング試験では、重量がそれぞれ１０ｋｇの２つの錘１０６，１０６、および重量がそれぞれ２５ｋｇの３つの錘１０６，１０６，１０６が使用される。底板１０７は、例えば円板状に形成されると共に、スクリューポイント１やロッド１０１を貫通させるための孔が中心部に形成されて構成されている。この場合、底板１０７は、同図に示すように、試験に際して試験対象の地盤２００の上に載置される。なお、この試験器１００は、スクリューポイント１を含めた総重量が、一例として、約５ｋｇとなるように規定されている。
【００１４】
一方、スクリューポイント１は、本発明に係るスクリューポイントの一例であって、ＪＩＳ−Ａ１２２１の規定に準拠して作製されている。具体的には、スクリューポイント１は、図２に示すように、本体部２および固定部３を備えて構成されている。本体部２は、基端部２ａ（同図では上端部）から先端部２ｂ（同図では下端部）に向かう方向に沿って螺旋状をなす４本（本発明における複数の一例）の稜部１１，１１・・がその外周部に形成されている。この場合、螺旋の回転の向きは、基端部２ａ側から見て右回りとなるように規定されている。また、本体部２は、例えば、基端部２ａから先端部２ｂまでの長さＴ１が２００ｍｍに規定されると共に、外径が最大の最大径部２ｃから先端部２ｂまでの長さＴ２が１５０ｍｍに規定されている。また、本体部２は、例えば、最大径部２ｃの外径Ｗ１が３３ｍｍに規定されると共に先端部２ｂの外径Ｗ２が５ｍｍに規定されて、最大径部２ｃから先端部２ｂに向かうに従ってその外径が徐々に小径となるように形成されている。この場合、本体部２は、例えば、ＪＩＳ−Ｇ４０５１に規定されたＳ５０Ｃまたはこれと同等以上の硬度を有する棒状（円柱状および円錐状等の形状）の鋼製素材を切削加工することにより、上記した形状に形成されている。
【００１５】
固定部３は、ロッド１０１にスクリューポイント１を固定するための部分であって、図２に示すように、本体部２に一体形成されている。また、固定部３は、同図に示すように、一例として、本体部２の基端面（上端面）から突出する長さＴ３が２０ｍｍ以上となるように規定されると共に、その外径Ｗ３が１４ｍｍに規定されている。この場合、固定部３は、後述するように、転造加工によって外周面にねじ山３１が形成されている。つまり、固定部３は、転造加工によって形成された転造ねじ（この例では、呼びがＭ１４の転造ねじ）で構成されている。
【００１６】
次に、スクリューポイント１の製造方法の一例について説明する。
【００１７】
まず、切削可能によって図３に示す中間体２１を作製する。具体的には、切削加工機を用いて、例えば、同図に破線で示す円柱状の鋼製素材２０を切削加工することにより、後に本体部２となる領域（同図に示す第１領域２０ａ）に、螺旋状をなす４本の稜部１１を形成すると共に（以下、稜部１１が形成された部分を「中間体本体部２２」ともいう）、後に固定部３となる領域（同図に示す第２領域２０ｂ）に、直径が１２．７ｍｍ程度の円柱状の部分を形成する（以下、円柱状に形成された部分を「突起部２３」ともいう）。この場合、中間体本体部２２（つまり、本体部２）を切削加工によって形成することで、例えば、鍛造で本体部２を形成するのと比較して、サイズや形状の異なる多種類のスクリューポイント１を製造する際の製造コストが十分に低減される。
【００１８】
次いで、上記のようにして作製した中間体２１の突起部２３に転造装置を用いてねじ山３１を形成する転造加工を行う。ここで、この転造装置では、一例として、図４，５に示すように、ねじ山３１と同様の形状のねじ山６１がその外周面に形成された１つまたは複数（この例では２つ）の転造ダイス５１を、突起部２３の表面（加工面）に押し付けて回転させることで、加工面を塑性変形させてねじ山３１を形成する。この場合、転造ダイス５１には、その基端部５１ａ（両図における右端部）から先端部５１ｂ（両図における左端部）に至るまでねじ山６１が形成されている。このため、図５に示すように、突起部２３の基端部２３ａ（中間体本体部２２と突起部２３との境界部分）まで転造ダイス５１の先端部５１ｂを移動させることで、転造ダイス５１のねじ山６１を突起部２３の基端部２３ａまで確実に押し付けることができる。この結果、この転造装置を用いた転造加工では、切削加工によってねじ山を形成するのとは異なり、突起部２３の基端部２３ａに小径の部分を形成することなく突起部２３の先端部２３ｂから基端部２３ａまでのほぼ全域に亘ってねじ山３１を形成することができる。なお、突起部２３を常温に維持した状態で転造加工を行うのが好ましいが、中間体２１の作製に用いる鋼製素材の種類（硬度等）によっては、突起部２３を加熱した状態で転造加工を行う方法を採用することもできる。
【００１９】
この場合、切削加工によって作製した切削ねじは、鋼製素材中のファイバーフロー（繊維状金属組織）が切削加工の際に切断されるため強度が低下することがある。これに対して転造加工によって作製した転造ねじは、加工面を塑性変形させるため、ファイバーフローの切断が少なく、また、塑性変形に伴って加工硬化が生じることが知られている。このため、上記のように転造加工によってねじ山３１を形成することで、突起部２３（つまり固定部３）の強度を高めて、耐久性を十分に向上させることが可能となる。また、転造加工では、上記したように加工面を塑性変形させてねじ山３１を形成するため、切削加工のように切削屑が発生しない結果、加工後の中間体２１を洗浄する工程等を省略または簡略化することができる。また、転造加工は、切削加工と比較して、加工時間を短縮することができる。したがって、転造加工によってねじ山３１を形成することで、固定部３を作成する際の加工効率、ひいてはスクリューポイント１の製造効率を向上させることが可能となる。
【００２０】
続いて、転造加工によるねじ山３１の形成が終了した中間体２１を熱処理する。この場合、中間体本体部２２が所定の高硬度となり、突起部２３が中間体本体部２２よりも低い硬度となるように部分熱処理を行うのが好ましい。続いて、熱処理の終了した中間体２１における中間体本体部２２の表面に、メッキ処理によって被膜を形成する。以上により、熱処理およびメッキ処理が表面に施された本体部２と、本体部２に一体形成されて転造加工によって形成されたねじ山３１を有する固定部３（つまり転造ねじで構成された固定部３）とを備えたスクリューポイント１が完成する。
【００２１】
次に、スクリューポイント１および試験器１００を用いてスウェーデン式サウンディング試験を行う方法について、図面を参照して説明する。
【００２２】
試験に先立ち、試験器１００を組み立てる。具体的には、クランプ１０５の中心孔にロッド１０１を貫通させて、ロッド１０１の上端部から所定の長さだけ下端部側に離間した位置でクランプ１０５をロッド１０１に固定する。次に、ロッド１０１の上端部にハンドル固定部１０３を固定する。次いで、ハンドル固定部１０３にハンドル１０４を貫通させて、ロッド１０１に対して直交するようにしてハンドル１０４を固定する。
【００２３】
続いて、ロッド１０１の下端部にスクリューポイント１を取り付ける。具体的には、図６に示すように、スクリューポイント１の固定部３をロッド１０１のねじ孔１０１ａにねじ込む。この場合、ねじ孔１０１ａに対して固定部３が傾斜した状態で無理にねじ込みを行ったときには、固定部３およびねじ孔１０１ａが正しく噛み合わずに両者が変形するおそれがある。したがって、ねじ込みの開始時においては、工具を用いることなく、スクリューポイント１の本体部２を直接手で掴んで（手作業で）ねじ込みを行うのが好ましい。次いで、手作業によるねじ込みが可能な範囲で固定部３をねじ孔１０１ａにねじ込んだ後に、工具（図示せず）を用いて固定部３をさらにねじ込む。
【００２４】
ここで、このスクリューポイント１では、転造加工によってねじ山３１を形成した（転造ねじで固定部３を構成した）ことで、固定部３の先端部３ｂから基端部３ａまでのほぼ全域に亘ってねじ山３１が形成されている。このため、固定部３をねじ孔１０１ａに完全にねじ込むことが可能となっている。次いで、本体部２の基端部２ａとロッド１０１の先端面が当接するまで固定部３をねじ孔１０１ａにねじ込んだ後に、工具に十分な力を加えてスクリューポイント１をロッド１０１に締め付けることにより、スクリューポイント１とロッド１０１とを確実に固定する。
【００２５】
次に、図１に示すように、試験対象の地盤２００における所定の試験箇所に底板１０７を載置する。次いで、組み立てた試験器１００のスクリューポイント１を底板１０７の中心孔に貫通させる。この際に、試験器１００の自重（この場合約５ｋｇ）によってスクリューポイント１が地盤２００に挿入されたときには、スクリューポイント１およびロッド１０１の挿入（下方への移動）が停止した時点でスクリューポイント１の挿入量を測定する。続いて、試験器１００のクランプ１０５の上に１０ｋｇの錘１０６を載置して試験器１００の自重を約１５ｋｇに増加させる。この際に、自重の増加によってスクリューポイント１がさらに挿入されたときには、挿入が停止した時点でスクリューポイント１の挿入量を測定する。次いで、クランプ１０５に載置する錘１０６を交換または追加することによって試験器１００の自重を約２５ｋｇ、約５０ｋｇ、約７５ｋｇおよび約１００ｋｇに順次変更し、上記と同様にしてスクリューポイント１の挿入量を測定する。この場合、スクリューポイント１の挿入によってクランプ１０５が底板１０７に突き当たったときには、ハンドル固定部１０３およびハンドル１０４をロッド１０１から取り外して、同図に示す継足用ロッド１０２をロッド１０１の上端部に連結した後に、取り外したハンドル固定部１０３およびハンドル１０４を継足用ロッド１０２の上端部に固定すると共に、クランプ１０５を上方に引き上げて固定する。
【００２６】
次に、試験器１００の自重が約１００ｋｇの状態でスクリューポイント１の挿入が停止した後に、ハンドル１０４を用いて、下方への力が加わらないようにして試験器１００全体を右回り（稜部１１の螺旋の向きと同じ向き）に回転させる。この際に、約１００ｋｇの自重によって停止した位置から２５０ｍｍの長さ分だけスクリューポイント１がさらに挿入されるまでに要した半回転数（ロッドの半回転を１として計数した数）を記録する。以後、挿入量が２５０ｍｍ増加する毎に、それに要した半回転数を記録する。この場合、例えば、スクリューポイント１が硬い地層に突き当たって挿入量が５０ｍｍ増加するまでの半回転数が５０回以上となったときには、測定を停止する。次いで、試験器１００全体を左回り（挿入時とは逆回り）に回転させつつ、ロッド１０１（継足用ロッド１０２）およびスクリューポイント１を地盤２００から引き抜き、続いて、各自重毎の挿入量の測定値や、挿入量が２５０ｍｍ増加する毎に要した半回転数に基づいて地盤２００の強度についての評価を行う。
【００２７】
この場合、このスクリューポイント１では、転造加工で形成されることによって基端部３ａに小径の部分が形成されておらずかつ強度が高められた転造ねじで固定部３が構成されている。このため、このスクリューポイント１では、試験の際の回転に伴ってスクリューポイント１に大きな回転モーメントが加わったとしても、基端部が小径に形成されている従来のスクリューポイントとは異なり、固定部３の基端部３ａにおける応力集中の発生が防止される結果、固定部３が破断（破損）する事態を確実に防止することが可能となっている。また、固定部３と本体部２とが一体形成されているため、本体部とは別体に形成した無頭ねじを本体部のねじ穴にねじ込んで接着剤等によって固定する構成とは異なり、スクリューポイント１に大きな回転モーメントが加わったとしても、固定部３が本体部２から脱落する事態を確実に防止することが可能となっている。
【００２８】
このように、このスクリューポイント１によれば、本体部２の基端部２ａに一体形成された固定部３を転造加工によって形成された転造ねじで構成したことにより、固定部３の基端部３ａに小径の部分が形成されずかつ固定部３の強度が全体として高められているため、試験の際の回転に伴ってスクリューポイント１に大きな回転モーメントが加わったとしても、基端部が小径に形成されている従来のスクリューポイントとは異なり、固定部３の基端部３ａにおける応力集中の発生を防止することができる結果、固定部３が破断する事態を確実に防止することができる。また、このスクリューポイント１によれば、固定部３と本体部２とが一体形成されているため、本体部とは別体に形成した無頭ねじを本体部のねじ穴にねじ込んで接着剤等によって固定する構成とは異なり、スクリューポイント１に大きな回転モーメントが加わったとしても、固定部３が本体部２から脱落する事態を確実に防止することができる。
【００２９】
また、このスクリューポイント１によれば、本体部２を切削加工によって形成したことにより、例えば、鍛造で本体部２を形成する構成と比較して、サイズや形状の異なる多種類のスクリューポイント１を製造する際の製造コストを十分に低減することができる。
【００３０】
なお、本発明は上記の構成に限定されない。例えば、熱処理によって本体部２を所定の高硬度となるように形成すると共に、固定部３が本体部２よりも低硬度となるように形成する例について上記したが、熱処理によって両者を同じ硬度となるように形成する構成を採用することもできる。また、本体部２および固定部３に対する熱処理を行わない構成や、本体部２の表面に被膜を形成しない構成を採用することもできる。また、上記した本体部２や固定部３の寸法は一例であって適宜変更することができる。
【００３１】
また、手動式の試験器１００にスクリューポイント１を用いる例について上記したが、自動式の試験器にスクリューポイント１を用いることができるのは勿論である。また、スウェーデン式サウンディング試験に準拠した他の試験においてスクリューポイント１を用いることもできる。
【図面の簡単な説明】
【００３２】
【図１】試験器１００の構成を示す構成図である。
【図２】スクリューポイント１の平面図である。
【図３】中間体２１の平面図である。
【図４】中間体２１の突起部２３にねじ山３１を形成する方法説明するための第１の説明図である。
【図５】中間体２１の突起部２３にねじ山３１を形成する方法説明するための第２の説明図である。
【図６】ロッド１０１に対するスクリューポイント１の取り付け方法を説明するための説明図である。
【図７】従来のスクリューポイントを製造する方法を説明するための説明図である。
【符号の説明】
【００３３】
１  スクリューポイント
２  本体部
２ａ  基端部
２ｂ  先端部
３  固定部
３ａ  基端部
３ｂ  先端部
１１  稜部
３１  ねじ山
１００  試験器
１０１  ロッド
【図１】
2010047989.tif 000003
【図２】
2010047989.tif 000004
【図３】
2010047989.tif 000005
【図４】
2010047989.tif 000006
【図５】
2010047989.tif 000007
【図６】
2010047989.tif 000008
【図７】
2010047989.tif 000009